(57)【要約】【課題】本発明は、運動用下衣において、特に簡易な構造と手段で、ランニング時に装着するウェストバッグがずれることを防止し、なおかつ通気性も備えることで快適なランニングを行うことが出来る運動用下衣に関するものである。【解決手段】運動用下衣１において、臀部上部を覆う範囲に滑り止め部材５を配置し、かつ前記滑り止め部材５は、通気性を備える素材とした。  更には前身頃のベルト部に、左右対称に少なくとも１つずつ、前記運動用下衣のベルトとは別のベルト部材を係止する係止部材４を設け、前記滑り止め部材５は、ダブルラッセル編みにより編成されているメッシュ素材である運動用下衣１とした。【選択図】図１
2015127463.tif 000002
【特許請求の範囲】
【請求項１】
運動用下衣であって、臀部上部を覆う範囲に滑り止め部材を配置し、かつ前記滑り止め部材は、通気性を備えた素材であることを特徴とする運動用下衣。
【請求項２】
前記運動用下衣における前身頃のベルト部に、左右対称に少なくとも１つずつ、前記運動用下衣のベルトとは別のベルト部材を係止する係止部材を設けた、請求項１に記載の運動用下衣。
【請求項３】
前記滑り止め部材は、ダブルラッセル編みにより編成されているメッシュ素材であることを特徴とした請求項１、２のいずれかに記載の運動用下衣。
【請求項４】
前記滑り止め部材が臀部上部を覆う範囲において、身幅方向の中央部が、端部よりも長く配置されている請求項１〜３のいずれかに記載の運動用下衣。
【請求項５】
前記運動用下衣は、ランニング用パンツであることを特徴とする請求項１〜４のいずれかに記載の運動用下衣。
【発明の詳細な説明】
【技術分野】
【０００１】
本発明は、運動用下衣に関するものであり、特に簡易な構造と手段で、ランニング時に装着するウェストバッグがずれることを防止し、なおかつ通気性も備えることで快適なランニングを行える運動用下衣を提案するものである。
【背景技術】
【０００２】
従来より、ランニング時に装着するウェストバッグを、腹部に圧迫感無くベルトにて締め付け、さらには上下左右に移動することを防ぐように装着することについては課題であった。
又、ウェストバッグを装着した状態での、体との接点での蒸れ感を軽減させることについても課題となっていた。
【０００３】
そして、衣服において所定の物が接する状態を維持する、もしくは滑り止めを行う手段としては、従来より多くの検討が行われている。
又、メッシュ等を用いて衣服内の通気を促すことについては、従来から一般的に行われている。
【０００４】
例えば、着座時に自動車の座席に接する箇所に、摩擦抵抗に富む素材を配することで、滑り止めとして機能し、慣性や遠心力により体が前後左右に振られることを防止する自動車運転用被服についての開示がある（特許文献１）。
又、下衣上縁部領域に、必要に応じて滑り止め加工を施すことで、着用者が激しい運動を行った場合にも水着上衣のインナー部が下衣から抜け出ることを防止するセパレーツ型伸縮性運動着についての開示がある（特許文献２）。
【特許文献１】実開平７−１５７１２号公報
【特許文献２】特開２００４−３０８０８９号公報
【０００５】
しかし、特許文献1に記載された被服では、下衣の臀部、膝裏付近において摩擦抵抗に富む素材が配置されているが、ウェストバッグのような身体への装着物を対象としたものではなく、特に装着部となる腰裏部（臀部上部）への滑り止め効果は考慮されていない。
又、特許文献２に記載された運動着では、下衣上縁部領域に滑り止め加工を施してはいるが、特許文献１同様に身体装着物を対象とはしておらず、厳密に腰裏部を目的とした滑り止め効果は考慮されていない。
更には、従来よりメッシュを用いて通気を促すことについては公知であるが、上記の滑り止め効果と同時に腰裏部の通気を目的としたものは一般的には知られていない。
【発明の概要】
【発明が解決しようとする課題】
【０００６】
本発明は、前記従来の問題を解決するため、特に簡易な構造と手段で、ランニング時に装着するウェストバッグがずれることを防止し、なおかつ通気性も備えることで快適なランニングを行える運動用下衣に関するものである。
【課題を解決するための手段】
【０００７】
以上の課題を解決する為に、請求項１に記載の発明は、運動用下衣であって、臀部上部を覆う範囲に滑り止め部材を配置し、かつ前記滑り止め部材は、通気性を備えた素材であることを特徴とする運動用下衣とした。
【０００８】
また、請求項２に記載の発明は、前記運動用下衣における前身頃のベルト部に、左右対称に少なくとも１つずつ、前記運動用下衣のベルトとは別のベルト部材を係止する係止部材を設けたことを特徴とする運動用下衣とした。
【０００９】
さらに、請求項３に記載の発明は、前記滑り止め部材は、ダブルラッセル編みにより編成されているメッシュ素材であることを特徴とする運動用下衣とした。
【００１０】
次に、請求項４に記載の発明は、前記滑り止め部材が臀部上部を覆う範囲において、身幅方向の中央部が、端部よりも長く配置されていることを特徴とする運動用下衣とした。
【００１１】
最後に、請求項５に記載の発明は、前記運動用下衣が、ランニング用パンツであることを特徴とする運動用下衣とした。
【発明の効果】
【００１２】
本発明にかかる運動用下衣は、上記の構成とすることにより、特に簡易な構造と手段で、ランニング時に装着するウェストバッグがずれることを防止し、なおかつ通気性も備えることで快適なランニングを行うことが出来る運動用下衣に関するものである。
【図面の簡単な説明】
【００１３】
【図１】図１は、本発明における１つの実施の形態における運動用下衣１の全体図である。  図１（ａ）は、運動用下衣１の正面図を示した図である。  図１（ｂ）は、運動用下衣１の背面図を示した図である。
【図２】図２は、運動用下衣１による滑り止め効果にて、そのずれを抑制しようとする一般的なウェストバッグ６の１例を示したものである。  図２（ａ）は、ウェストバッグ６の正面側からの図を示した図である。  図２（ｂ）は、ウェストバッグ６の背面側からの図の一部を示した図である。
【発明を実施するための形態】
【００１４】
本発明にかかる運動用下衣は、特に簡易な構造と手段で、ランニング時に装着するウェストバッグがずれることを防止し、なおかつ通気性も備えることで快適なランニングを行うことが出来る運動用下衣に関するものである。
【００１５】
特に、ランニング時におけるウェストバッグ着用の際、下衣の上部、つまりウェストのくびれている位置での着用が多く、腹部に圧迫感を感じることに繋がっていた。
【００１６】
そこで、そのウェストバッグ着用時の圧迫感を軽減するために、腰裏（臀部上部）の位置でのウェストバッグを着用することを提案したが、人体のくびれの位置での着用とならないために、上下のずれ上がり、ずれ下がり、さらには左右へのウェストバッグのずれが問題となっていた。
【００１７】
よって本発明は、主に上記のように腹部の圧迫感を軽減し、腰の位置にて装着することを促すために、上下左右へのバッグのずれを軽減させる構成とした運動用下衣を提案するものである。
【００１８】
更には、腰裏（臀部上部）での通気性を備えることで、快適にランニングを行うことができる運動用下衣を提案するものである。
【００１９】
以下、本発明の実施の形態について、図面を用いて説明する。
【００２０】
図１は、本発明における１つの実施の形態における運動用下衣１の全体図である。
図２は、運動用下衣１による滑り止め効果にて、ランニング時のずれを抑制しようとする一般的なウェストバッグ６の１例を示したものである。
【００２１】
図１に示すように、運動用下衣１は、本体部２、ベルト部３、ベルト係止部材４、滑り止め部材５から構成される。
【００２２】
本体部２に使用される生地としては、特に限定されるものではないが、布帛やニットなどが用いられる。
【００２３】
又、素材としても特に限定されるものではないが、好ましくはランニングパンツに一般的に用いられるポリエステルであり、その理由としては軽量で、加工しやすく、コストも安価であるからである。
【００２４】
ベルト部３に用いられる素材としては、特に限定されるものではないが、一般的なゴム素材に、本体部の素材をカバーしたものが通常用いられる。
【００２５】
ベルト係止部材４は、図２（ａ）に示すような一般的なウェストバッグ６の上下左右のずれを抑制する目的にて、そのベルト７を係止するための部材である。
【００２６】
ベルト係止部材４はとしては、特に限定されるものではないが、芯材に本体部の素材をカバーした、ベルト部３の裏側に回り込むループ状の部材が通常用いられ、ウェストバッグ６のベルト７を着脱しやすいように、一部に係止手段を設けている。
【００２７】
上記係止手段としては、特に限定されるものではないが、一対の面ファスナーであることが好ましい。その理由としては軽量で、加工し易く、コストも安価であり、さらには着脱が容易だからである。
【００２８】
さらに、上記ベルト係止部材４の裏側には、滑り止め加工が施してあることが好ましく、加工手段としては特に限定されるものではないが、樹脂部材を適宜配置する、もしくはコーティングするなどの方法が挙げられる。
【００２９】
上記ベルト係止部材４の身幅方向（横）の長さは、６０ｍｍ〜１００ｍｍ程度、身長方向（縦）の長さとしては正面図からの投影長さにて、ベルト部３の幅と同程度の長方形形状が好ましい。
【００３０】
長軸方向が６０ｍｍ未満となると、ベルト係止部材４による係止効果、さらには滑り止め効果が低減し、１００ｍｍを超えると、係止効果、滑り止め効果は上がるが、着脱の手間、さらには部材コストも上がるとの問題が生じる。
【００３１】
滑り止め部材５としては、臀部上部を覆う範囲に配置され、特に限定されるものではないが、樹脂部材等を適宜配置する、もしくはコーティングする等の方法にて配置される。
【００３２】
特に、滑り止め部材５は、ダブルラッセル編みにより編成されたメッシュにより構成されていることがより好ましい。
【００３３】
その理由は、ダブルラッセル編みでメッシュを構成することにより、強度が確保され、外観上、下衣内が透けて見えることが無い、または厚みを構成することが出来るため、ウェストバッグの当たり感を少なくできるためである。
【００３４】
次に、図２（ｂ）に示す一般的なウェストバッグ６の裏面８、つまり衣服と接する部分に、ダブルラッセルによるメッシュを採用している場合が多く、その表面の凹凸同士がかみ合うことにより、摩擦抵抗を高め、ランニング時にウェストバッグ６が上下左右にずれることを低減させることが可能となるためである。
【００３５】
ダブルラッセル編みを形成する糸としては、特に限定されないが、上記本体部２を形成する素材と同様であり、ポリエステルであることがより好ましい。
【００３６】
さらには、ダブルラッセル編みのメッシュが形成する穴により、下衣の腰裏部付近に滞留する湿気を含んだ空気を換気することも可能となる。
【００３７】
又、滑り止め部材５は、臀部上部を覆う範囲において、身幅方向の中央部が、端部よりも長く配置されていることが好ましい。
【００３８】
その理由としては、ウェストバッグ６が配置される部分が身幅中央付近となるため、ウェストバッグ６の裏面８が、滑り止め部材５に接する面積が広くなり、よりメッシュの凹凸がかみ合うことにより摩擦抵抗が上昇し、滑り止め効果を発揮できるためである。
【００３９】
さらには、湿気が溜まりやすい腰裏部の、身幅中央における通気を促す効果にも繋がる。
【００４０】
滑り止め部材５の、身幅方向の中央部付近の身長方向の長さは、５０ｍｍ〜１００ｍｍであることが好ましい。
【００４１】
５０ｍｍ未満になると、十分な滑り止め効果を、又通気効果を十分発揮できず、１００ｍｍより長くなると、見た目の美観を損ない、コストアップに繋がるなどの問題が生じる。
【００４２】
上記のように本発明品となる運動用下衣１において、ベルト係止部材４、滑り止め部材５を構成することで、ランニング時のウェストバッグ６装着時に、簡易な構造でウェストバッグのずれを軽減し、下衣内の通気も可能となり、快適なランニングを行うことが出来る。
【００４３】
更にはベルト係止部材４、滑り止め部材５を、その装着したランニングバッグ６にて同時に実施することで、ランニング時のずれを低減させる効果を飛躍的に高めることが可能となる。
【産業上の利用可能性】
【００４４】
本発明の運動用下衣は、一般の衣類としても有用であり、登山、トレッキング、ハイキング、スキー、スノーボード、スケート、ゴルフ、マラソン、ジョギング、ランニング、テニスなどあらゆるスポーツシーンにおいても、その利便性と簡便性において好適である。
【００４５】
又、本発明が適用可能な運動用下衣としては、ランニング用パンツ、ジャージパンツ、スウェットパンツ、ウインドブレーカーパンツ、スポーツ用ズボン、レインウェア用パンツ等のウェア全般が挙げられる。
【符号の説明】
【００４６】
１  運動用下衣
２  下衣本体
３  ベルト部
４  ベルト係止部材
５  滑り止め部材
６  ウェストバッグ
７  ウェストバッグのベルト部
８  ウェストバッグの裏面部
【図１】
2015127463.tif 000003
【図２】
2015127463.tif 000004